(57)【要約】【課題】構造部品となる上下一対のクロスフローファンのモータ支持部や軸受け支持部に付着した露が送風路に浸入することを防止し、吹出し口から冷気とともに室内に排出されて飛散することを防止すること。【解決手段】吸込み口８、９と上吹出し口１０及び下吹出し口１１を有するハウジング１内に熱交換器３と上下一対のクロスフローファン４、５を備え、吸込み口８、９からハウジング２内に流入した空気を熱交換器３で熱交換し、上下一対のファン４、５により上吹出し口１０及び下吹出し口１１から吹出すようにした空気調和機１において、上下一対のクロスフローファン４、５の軸受け支持部２２Ａ、２２Ｂとモータ支持部２３Ａ、２３Ｂとがそれぞれ一体形成されている。【選択図】図４
2010048468.tif 000002
【特許請求の範囲】
【請求項１】
吸込み口と上吹出し口及び下吹出し口を有するハウジング内に熱交換器と上下一対のクロスフローファンを備え、吸込み口からハウジング内に流入した空気を熱交換器で熱交換し、上下一対のクロスフローファンにより上吹出し口及び下吹出し口から吹出すようにした空気調和機において、上下一対のクロスフローファンの軸受け支持部とモータ支持部とがそれぞれ一体形成されていることを特徴とする空気調和機。
【請求項２】
吸込み口と上吹出し口及び下吹出し口を有するハウジング内に熱交換器と上下一対のクロスフローファンを備え、吸込み口からハウジング内に流入した空気を熱交換器で熱交換し、上下一対のクロスフローファンにより上吹出し口及び下吹出し口から吹出すようにした空気調和機において、上下一対のクロスフローファンの軸受け支持部とモータ支持部とが前記熱交換器の左右に設けられる仕切り板にそれぞれ一体形成され、前記熱交換器及び左右の前記仕切り板の下方にドレンパンを設置したことを特徴とする空気調和機。
【発明の詳細な説明】
【技術分野】
【０００１】
本発明は、吸込み口と上吹出し口及び下吹出し口を有するハウジング内に熱交換器と上下一対のファンを備え、吸込み口からハウジング内に流入した空気を熱交換器で熱交換し、上下一対のファンにより上吹出し口及び下吹出し口から吹出すようにした空気調和機に関するものである。
【背景技術】
【０００２】
従来のこの種の空気調和機では、ハウジング内に上下一対のクロスフローファンを設けることにより、吸込み口からハウジング内に流入し、熱交換器で熱交換した空気を上吹出し口及び下吹出し口の双方から吹出したり、いずれか一方の吹出し口から吹出したりして、複数の気流制御ができるようにしている（特許文献１参照）。
【特許文献１】特開昭６１−５９１４５号公報
【発明の開示】
【発明が解決しようとする課題】
【０００３】
しかし、上述した空気調和機では上下一対のクロスフローファンのそれぞれにモータ支持部と軸受け支持部が必要とされるため、構造部品が多くなり、構造部品に付着した露が構造部品の隙間から送風路に浸入し、吹出し口から冷気とともに室内に排出されて飛散する虞がある。
【０００４】
そこで本発明は、構造部品となる上下一対のクロスフローファンのモータ支持部や軸受け支持部に付着した露が送風路に浸入することを防止し、吹出し口から冷気とともに室内に排出されて飛散することを防止することを目的とする。
【課題を解決するための手段】
【０００５】
このため第１の発明は、吸込み口と上吹出し口及び下吹出し口を有するハウジング内に熱交換器と上下一対のクロスフローファンを備え、吸込み口からハウジング内に流入した空気を熱交換器で熱交換し、上下一対のクロスフローファンにより上吹出し口及び下吹出し口から吹出すようにした空気調和機において、上下一対のクロスフローファンの軸受け支持部とモータ支持部とがそれぞれ一体形成されていることを特徴とする。
【０００６】
また第２の発明は、吸込み口と上吹出し口及び下吹出し口を有するハウジング内に熱交換器と上下一対のクロスフローファンを備え、吸込み口からハウジング内に流入した空気を熱交換器で熱交換し、上下一対のクロスフローファンにより上吹出し口及び下吹出し口から吹出すようにした空気調和機において、上下一対のクロスフローファンの軸受け支持部とモータ支持部とが前記熱交換器の左右に設けられる仕切り板にそれぞれ一体形成され、前記熱交換器及び左右の前記仕切り板の下方にドレンパンを設置したことを特徴とする。
【発明の効果】
【０００７】
第１の発明によれば、上下一対のクロスフローファンの軸受け支持部とモータ支持部がそれぞれ一体形成されているため、構造備品としての上下一対のクロスフローファンの軸受け支持部やモータ支持部に付着した露がこれら構造備品の隙間から送風路に浸入しないようにでき、吹出し口から冷気とともに室内に排出されて飛散することを防止できる。また、部品点数が少なくなり、組み立てが容易に行なえ、安価に構成できる。
【０００８】
また第２の発明によれば、上下一対のクロスフローファンの軸受け支持部とモータ支持部とが熱交換器の左右に設けられる仕切り板にそれぞれ一体形成され、熱交換器及び左右の仕切り板の下方にドレンパンを設置したため、モータ支持部や軸受け支持部に付着した露は仕切り板に沿ってドレンパンへと導かれ、送風路に浸入することなく外部に排出させることができる。
【発明を実施するための最良の形態】
【０００９】
以下、本発明を実施するための最良の形態について、図１乃至図１０を参照しながら説明する。１は熱源機となる室外機（図示せず）とともに空気調和機を構成する床置き式の室内機であり、ハウジング２内に熱交換器３と上下一対のクロスフローファン４、５が設けられている。このクロスフローファン４、５はそれぞれ円筒上のファン本体４Ａ、５Ａと、このファン本体４Ａ、５Ａの一側を回転自在に保持するベアリング等から構成される軸受け４Ｂ、５Ｂと、ファン本体４Ａ、５Ａの他側に取り付けられた駆動用モータ４Ｃ、５Ｃとからなる。
【００１０】
ハウジング２は前面パネル６と本体ケーシング７とからなり、前面パネル６には前面吸込み口８と側面吸込み口９と上吹出し口１０と下吹出し口１１とが設けられ、上吹出し口１０には運転時に開放する上吹出しフラップ１２が設けられている。
【００１１】
また、本体ケーシング７の上面は前上面部より後上面部が低くなるように、また両側面は前側面部より後側面部が内側寄りとなるように段部７Ａが形成されている。このように、段部７Ａを形成することにより、家屋の壁内に室内機１が埋め込まれて据付けされた際には、この室内機１と壁との隙間が見えなくなり、正面から見て、室内機１を綺麗に設置することができる。
【００１２】
また、熱交換器３の前面には空気清浄フィルター１３付きのエアフィルター１４が着脱自在に設置され、熱交換器３の下方にはドレンパン１５が設けられている。このドレンパン１５の下部には斜め下向きにドレンホースが接続されるドレンホース接続部（接続口を備える。）１５Ｂが設けられている。即ち、ドレンパン１５の右側面と底面との間に斜面１５Ａを形成し、この斜面１５Ａ下部に外方への斜め下向き、即ち下方に行くに従って右側外方に向かうようにドレンホース接続部１５Ｂを設ける。
【００１３】
尚、ドレンパン１５の左側面と底面との間に斜面を形成し、この斜面下部に外方への斜め下向き、即ち下方に行くに従って左側外方に向かうようにドレンホース接続部を設けてもよい。また、ドレンホース接続部は、ドレンパン１５と一体に形成してもよく、ドレンパン１５に接続して形成してもよい。
【００１４】
このように、下方に行くに従って右側外方に向かうように斜め下向きとなるドレンホース接続部１５Ｂを形成したのは、いずれの方向にドレンホースを引き出す場合でも、ドレンホースに掛かるストレスを減らすことができるからである。即ち、下向きや横向きに形成したのでは、限られたスペースの中でドレンホースを曲げてトラップを形成せざるを得ない事態が発生し、その曲げ作業やこの曲げによるドレンホースへのストレスが発生するからである。
【００１５】
本体ケーシング７の後部には断熱材１６が取付けられ、この断熱材１６の内側には上下一対のクロスフローファン４、５の間に位置する断面がく字状の背面風路ガイド板１７と、この背面風路ガイド板１７の上方に連なって所定間隔を存して上側クロスフローファン４を覆う上側ファンケース１８と、前記背面風路ガイド板１７の下方に連なって所定間隔を存して下側クロスフローファン５を覆う下側ファンケース１９とが配設される。
【００１６】
また、上側クロスフローファン４と上吹出し口１０との間には上側吹出し通路２０が形成され、下側クロスフローファン５と下吹出し口１１との間には下側吹出し通路２１が形成されている。
【００１７】
ハウジング２内の熱交換器３の左右には背面風路ガイド板１７とともに送風路を形成する仕切り板２２、２３が設けられている。仕切り板２２の上下部にはファン本体４Ａ、５Ａの一端を収容するとともに本体側ケーシング７に一部埋め込まれたベアリング等から構成される軸受け４Ｂ、５Ｂを支持する軸受け収容部２２Ａ、２２Ｂが一体形成されている。また、仕切り板２３の上下部には本体側ケーシング７とともにモータ４Ｃ、５Ｃを支持するモータ支持部２３Ａ、２３Ｂが一体形成されている。また、モータ４Ｃ、５Ｃは取付け部材２４、２５により本体側ケーシング７に固定されている。そしてドレンパン１５は熱交換器３及び仕切り板２２、２３の下方に配置され、この熱交換器３から流下したドレン水や仕切り板２２、２３の外面に付着した露などの水滴を受け止めるようにしてある。
【００１８】
このように構成された空気調和機の室内機１では、冷房運転時に熱交換器３が蒸発器として作用し、通常は上下一対のクロスフローファン４、５が運転する。すると、室内空気が前面吸込み口８と側面吸込み口９からハウジング２内に流入し、エアフィルター１４で除塵されたのち熱交換器３で冷却され、冷気になる。そして、背面風路ガイド板１７にて上下に分流してクロスフローファン４、５に導かれ、上側吹出し通路２０及び下側吹出し通路２１を通って上吹出し口１０及び下吹出し口１１からそれぞれ室内へと吹出される。
【００１９】
ハウジング２内の熱交換器３の左右に設けられる仕切り板２２、２３には上下一対のクロスフローファン４、５の軸受け支持部２２Ａ、２２Ｂとモータ支持部２３Ａ、２３Ｂとがそれぞれ一体形成されているため、構造部品が少なくなり、また仕切り板２２、２３を夫々上下に分割して構成した場合にはその接続部の隙間から軸受け支持部２２Ａ、２２Ｂやモータ支持部２３Ａ、２３Ｂに付着した露などの水滴が送風路内に浸入して室内へ飛散することがあったが、一体形成しているので浸入を防止することができる。
【００２０】
また、熱交換器３及び左右の仕切り板２２、２３の下方にはドレンパン１５を設置したため、軸受け支持部２２Ａ、２２Ｂやモータ支持部２３Ａ、２３Ｂに付着した露は仕切り板２２、２３外面に沿ってドレンパン１５へと導かれ、送風路内に浸入することなく外部に排出され、特に下吹出し口１１から冷気とともに室内に排出されて飛散することを防止できる。また、部品点数が少なくなり、組み立てが容易に行なえ、安価に構成できる。
【００２１】
しかも、ドレンホース接続部を下向きや横向きに形成したのでは、限られたスペースの中でドレンホースを曲げてトラップを形成せざるを得ない事態が発生し、その曲げ作業やこの曲げによるドレンホースへのストレスが発生したが、本実施形態によれば、ドレンパン１５の右側面と底面との間に形成された斜面１５Ａ下部に斜め下向きに、即ち下方に行くに従って右側外方に向かうようにドレンホース接続部１５Ｂを設けたから、ドレンホースの曲げ作業やこの曲げによるドレンホースへのストレスを発生させることなく、ドレンパン１５に流入したドレン水を滑らかに外部に排出することができる。
【００２２】
次に、図８乃至図１０に基づいて、使用者が上吹出し口１０から指を差し入れて、上側クロスフローファン４に触れられないようにする構造について、以下説明する。先ず、上吹出し口１０には、運転時に開放する上吹出しフラップ１２が開閉可能に設けられている。即ち、吹出し口１０の開口を形成する開口形成体３０に固定された支持部材３１と上吹出しフラップ１２の裏面側に設けられた支持片３２とが支軸３３を介して揺動可能に支持されている。
【００２３】
開口形成体３０は、図９に示すように、大きく分けて底板３０Ａと、両側板３０Ｂと、幅狭な上板３０Ｃとから構成され、この両側板３０Ｂには夫々固定片３０Ｄが形成されている。
【００２４】
また、上側クロスフローファン４及び下側クロスフローファン５の前方には所定間隔を存して前面風路ガイド板３８Ａ、３８Ｂが設けられている。そして、３５は取付枠体で、この取付枠体３５の上面３５Ａには所定間隔を存して複数枚の縦羽根３６が回動可能に取り付けられており、これらの縦羽根３６を連動軸３７を介して連動させて左右に揺動させ左右への吹出し方向が調節できるように構成されている。
【００２５】
そして、取付枠体３５の後部を湾曲させて形成した垂下片３５Ｂ（前面風路ガイド板３８Ａとともに前面風路ガイドを構成する）を上から前面風路ガイド板３８Ａに連結すると共に、開口形成体３０の底板３０Ａに手指挿入防止用の金網４０を介在させてその下部を挟むように後方から取付枠体３５の上面３５Ａを連結させた状態とした後、ビス３４により開口形成体３０の固定片３０Ｄと取付枠体３５とを固定させる（図８及び図１０参照）。
【００２６】
このように、上吹出し口１０の開口形成体３０の底板３０Ａに金網４０を介在させてその下部を挟むように後方から取付枠体３５の上面３５Ａを連結させることにより、金網４０を取り付けたから、使用者が上吹出し口１０から指を差し入れて、上側クロスフローファン４に触れることが防止できる。従って、上吹出し口１０に設けられる手指挿入防止用の金網４０の取り付けを容易且つ強固に行うことができ、また垂下片３５Ｂ（前面風路ガイドの一部を構成する）を備える取付枠体３５を強固に取り付けることにより、風量及び騒音に与える影響も極力少なくして、金網４０が簡単には外れなくすることができる。
【００２７】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２８】
【図１】空気調和機の室内機の正面図である。
【図２】空気調和機の室内機の斜視図である。
【図３】図１のＡ−Ａ断面図である。
【図４】前面パネルを外して示す室内機の分解斜視図である。
【図５】同じく右方向から見た室内機の斜視図である。
【図６】同じく左方向から見た室内機の斜視図である。
【図７】ドレンパンの要部拡大断面図である。
【図８】上吹出し口周辺の要部拡大縦断面図である。
【図９】上吹出し口の開口形成体と縦羽根を取り付けた取付枠体との分解斜視図である。
【図１０】吹出し口の開口形成体に縦羽根を取り付けた取付枠体を取り付ける前の状態の上吹出し口周辺の要部拡大縦断面図である。
【符号の説明】
【００２９】
１              室内機
２              ハウジング
３              熱交換器
４              上側クロスフローファン
５              下側クロスフローファン
８、９          吸込み口
１０            上吹出し口
１１            下吹出し口
１５            ドレンパン
１５Ａ          ドレンホース接続部
２２、２３      仕切り板
２２Ａ、２２Ｂ  軸受け支持部
２３Ａ、２３Ｂ  モータ支持部
【図１】
2010048468.tif 000003
【図２】
2010048468.tif 000004
【図３】
2010048468.tif 000005
【図４】
2010048468.tif 000006
【図５】
2010048468.tif 000007
【図６】
2010048468.tif 000008
【図７】
2010048468.tif 000009
【図８】
2010048468.tif 000010
【図９】
2010048468.tif 000011
【図１０】
2010048468.tif 000012